(57)【要約】      （修正有）【課題】吸気系部品の底部の水抜き穴において、共鳴による消音機能等を確保するために、小さい水抜き穴としながら、異物による閉塞を回避する。【解決手段】吸気系部品は、その内側の底部１２ａに固定されるとともに水抜き穴２１を取り囲むように「底部１２ａの水抜き穴２１の周縁部から立設した所定の高さの複数の立設部２２」を備えている。これにより、異物Ｏｂは立設部２２によって捕捉されるので、水抜き穴２１が閉塞されることがない。従って、吸気系部品に流入する水を吸気系部品から良好に排出することができる。【選択図】図４
2014118920.tif 000002
【特許請求の範囲】
【請求項１】
車両に取り付けられるとともに同車両に搭載された内燃機関に吸入される空気が導入され、且つ、その底部に水抜き穴が配設された、吸気系部品において、
前記吸気系部品の内側の底部に固定されるとともに前記水抜き穴を取り囲むように同底部の同水抜き穴の周縁部から立設した所定の高さの複数の立設部を備えることを特徴とする吸気系部品。
【請求項２】
請求項１に記載の吸気系部品において、
前記水抜き穴は円形であり、
前記複数の立設部は、前記水抜き穴の直径よりも短い間隔をおいて形成されるとともに、前記水抜き穴を底面として前記底部に直交する中心軸を有する円柱形の側壁に沿った内側壁面を構成している吸気系部品。
【請求項３】
請求項２に記載の吸気系部品において、
前記立設部は、前記所定の高さが前記水抜き穴の直径よりも長くなるように形成されている吸気系部品。
【請求項４】
請求項１乃至請求項３の何れか一項に記載の吸気系部品において、
前記立設部は前記吸気系部品と一体成形されていることを特徴とする吸気系部品。
【発明の詳細な説明】
【技術分野】
【０００１】
本発明は、車両に取り付けられるとともに同車両に搭載された内燃機関に吸入される空気が導入される吸気系部品に関する。
【背景技術】
【０００２】
従来から、例えば、レゾネータ等のように、車両のエンジンルーム内等に配設され、その車両に搭載された内燃機関に吸入される空気が導入される吸気系部品が知られている。一般に、このような吸気系部品には、その底部に水抜き穴が形成されている（例えば、特許文献１を参照。）。
【先行技術文献】
【特許文献】
【０００３】
【特許文献１】特開２００９−８５００８号公報（図６）
【発明の概要】
【０００４】
しかしながら、図６に示したように、この水抜き穴Ｗｈが異物Ｏｂ等によって閉塞されると水が吸気系部品から排出されなくなる。その一方、吸気系部品に要求される性能（例えば、共鳴による消音機能等）を確保するために、水抜き穴の流路面積（水抜き穴が円形である場合には直径）を大きくするにも限界がある。
【０００５】
本発明は上記課題を解決するためになされたものである。即ち、本発明の吸気系部品は、車両に取り付けられるとともに同車両に搭載された内燃機関に吸入される空気が導入され、且つ、その底部に水抜き穴が配設される部品である。
【０００６】
更に、本発明の吸気系部品は、その内側の底部に固定されるとともに前記水抜き穴を取り囲むように同底部の同水抜き穴の周縁部から立設した所定の高さの複数の立設部を備える。
【０００７】
これによれば、図４及び図５に示したように、異物Ｏｂは立設部に捕捉されるので、水抜き穴が塞がれることがない。更に、互いに隣接する立設部の（縦壁部の）間、及び／又は、水抜き穴の上方、に「水抜き穴に至る流路」が確保される（図４及び図５の矢印を参照。）。従って、異物Ｏｂが立設部に捕捉された場合であっても、水が吸気系部品から良好に排出される。
【０００８】
この場合、図４及び図５にも例示したように、
前記水抜き穴は円形であり、
前記複数の立設部は、前記水抜き穴の直径（Ｄ）よりも短い間隔（Ｌ１、Ｌ２）をおいて形成されるとともに、前記水抜き穴を底面として前記底部に直交する中心軸を有する円柱形の側壁に沿った内側壁面（内側側壁）を構成することができる。
【０００９】
これによれば、吸気系部品の底部に沿って水抜き穴に向って進行する「直径Ｄよりも大きい径を有する異物Ｏｂ」は互いに隣接する立設部の間（幅Ｌ１〜Ｌ２）を通過できないので、立設部の外側側壁によって捕捉される（図４の（Ａ）及び図５の（Ａ）を参照。）。従って、水抜き穴の中心軸方向には複数の立設部の内側壁面（内側側壁）によって形成された「水抜き穴と同径の円柱状流路」が確保される。よって、水が吸気系部品から良好に排出される。
【００１０】
一方、前記立設部は、前記所定の高さ（Ｈ）が前記水抜き穴の直径（Ｄ）よりも長くなるように形成されていることが望ましい。これによれば、互いに隣接する立設部の間に形成される流路の面積を大きくとることができる。よって、水が吸気系部品から良好に排出される。
【００１１】
加えて、前記立設部は前記吸気系部品と一体成形されていることが望ましい。これによれば、例えば、樹脂等の一体成形によって「上記立設部を備える吸気系部品」を容易且つ安価に製造することが可能となる。
【００１２】
本発明の他の目的、他の特徴及び付随する利点は、以下の図面を参照しつつ記述される本発明の各実施形態についての説明から容易に理解されるであろう。
【図面の簡単な説明】
【００１３】
【図１】図１は、本発明の第１実施形態に係る吸気系部品（レゾネータ）の平面図である。
【図２】図２は、図１に示した吸気系部品の正面図である。
【図３】図３は、図２に示した下本体部の平面図（図２の１−１線に沿った平面にて吸気系部品を切断した断面図）である。
【図４】図４は図３に示した水抜き穴部を示した図であり、図４の（Ａ）は立設部及び水抜き穴の平面図、図４の（Ｂ）は図４の２−２線に沿った平面にて立設部及び底部を切断した断面図、図４の（Ｃ）は立設部の概略斜視図である。
【図５】図５は、本発明の第２実施形態に係る吸気系部品の水抜き穴部を示した図であり、図５の（Ａ）は立設部及び水抜き穴の平面図、図５の（Ｂ）は図５の３−３線に沿った平面にて立設部及び底部を切断した断面図、図５の（Ｃ）は立設部の概略斜視図である。
【図６】図６は、従来の吸気系部品の水抜き穴近傍の断面図である。
【発明を実施するための形態】
【００１４】
以下、本発明の実施形態に係る吸気系部品について図面を参照しながら説明する。
＜第１実施形態＞
図１乃至図３に示したように、本発明の第１実施形態に係る吸気系部品（以下、「第１部品」とも称呼する。）は車両に搭載されるレゾネータ１０である。レゾネータ１０は図示しない「車両（自動車）に搭載された内燃機関の吸気ダクト」の下方に配設される。レゾネータ１０は吸気ダクト内を流れる空気の吸気音を共鳴により低減する機能を有する。より具体的に述べると、レゾネータ１０は、上本体部１１と、下本体部１２と、首部１３と、取付け部１４と、を有する。
【００１５】
上本体部１１は下面が開放した箱状である。上本体部１１の側面の一部には図１に示したようにボルト貫通孔１１ａが設けられている。
【００１６】
下本体部１２は上面が開放した箱状である。下本体部１２は、図１及び図３に示したように、平面視において上本体部１１と略同一の形状を有している。下本体部１２の上部は上本体部１１の下部と接合され、それにより共鳴室を構成している。図３に示したように、下本体部１２の底部（下面）には水抜き穴部２０が形成されている。
【００１７】
首部１３は上部及び下部が開放した中空円筒形状を有する。首部１３の下部は上本体部１１と一体的に形成され上本体部１１に接続されている。首部１３の上部は図示しない吸気ダクトに接続されるようになっている。
【００１８】
取付け部１４は平板状である。取付け部１４は、上本体部１１と一体的に形成されていて、上本体部１１の側面の一つから延設されている。取付け部１４の端部にはボルト貫通孔１４ａが設けられている。レゾネータ１０は、ボルト貫通孔１１ａ及びボルト貫通孔１４ａを通る図示しないボルトにより車両（エンジンルーム）に固定されるようになっている。
【００１９】
水抜き穴部２０は、図４の（Ａ）乃至（Ｃ）に示したように、水抜き穴２１と、複数の（本例において４個の）立設部２２と、を備えている。
水抜き穴２１は、下本体部１２の底部（底板）１２ａに形成された中空円筒状の空間（貫通孔）である。従って、水抜き穴２１の平面視における形状は直径Ｄの円形である。
【００２０】
複数の立設部２２のそれぞれは、下本体部１２の内側において底部１２ａから立設してた柱状部である。複数の立設部２２は下本体部１２と一体的に形成（樹脂成形）されている。複数の立設部２２は互いに同一の形状を備えている。立設部２２の上面は略扇形状を有している。換言すると、立設部２２の平面視における形状は、「水抜き穴の中心軸を同軸の中心とした同一中心角の半径ｒ１の円弧と半径ｒ２の円弧」、「半径ｒ１の円弧の一の端部と半径ｒ２の円弧の一の端部とを結ぶ線分」及び「半径ｒ１の円弧の他の端部と半径ｒ２の円弧の他の端部とを結ぶ線分」とから構成された形状を備える。半径ｒ１は水抜き穴の半径Ｄ／２と等しい。半径ｒ２は半径ｒ１よりも大きい。立設部２２の高さＨは水抜き穴の直径Ｄよりも長い。
【００２１】
４個の立設部２２は互いに等しい間隔（最小幅Ｌ１、最大幅Ｌ２）をおいて水抜き穴２１を取り囲むように設けられている。各立設部２２の下面の半径ｒ１の円弧は、水抜き穴２１の周縁部と一致している。互いに隣接する立設部２２間の間隔（Ｌ１、Ｌ２）は水抜き穴の直径Ｄよりも短い。
【００２２】
即ち、４個の立設部２２によって、「水抜き穴２１の半径Ｄ／２よりも大きい半径ｒ２を有し且つ水抜き穴２１と同軸となるように底部１２ａの内側に設けられた円柱体であって、水抜き穴２１の直径Ｄと同径且つ同軸で水抜き穴２１の上方に設けられた貫通孔及び４箇所のスリット部を形成した部分」が構成されていると言うことができる。従って、各立設部２２の内側の湾曲した側面は、「水抜き穴２１と同径であり水抜き穴２１を底面として底部１２ａに直交する中心軸を有する円柱形の側壁」に沿った内側壁面、を構成していると言うこともできる。
【００２３】
このように構成された水抜き穴部２０によれば、以下の利点が得られる。
（１）立設部２２が底部１２ａに固定されている。従って、弁体のように可動部を有しないので、「弁に異常が生じて弁が良好に可動しなくなり、レゾネータ１０内部の水が配設されない。」という恐れがない。よって、水がレゾネータ１０の内部から良好に排出される。
【００２４】
（２）立設部２２が水抜き穴２１の周縁部から立設されているから、水抜き穴２１の上部に水抜き穴と同径の穴（貫通孔）が確保される。従って、水の排出流量を立設部２２を設けない場合と同様の程度に設定することができる。更に、レゾネータ１０とその外部とを連通する空間の断面積が水抜き穴２１のみを有する場合と同等となるので、レゾネータ１０の共鳴機能を有効に発揮させることができる。加えて、その上部の穴が異物Ｏｂにより閉塞された場合であっても（図４の（Ｂ）を参照。）、互いに隣接する立設部２２の間（即ち、スリット部）及び水抜き穴２１を介して水が排出される。よって、水がレゾネータ１０の内部から良好に排出される。
【００２５】
（３）立設部２２が水抜き穴２１の直径Ｄよりも短い間隔（Ｌ１、Ｌ２）おいて形成されている。即ち、スリットの最大幅（Ｌ２）が直径Ｄよりも小さい。従って、細かい異物はスリットを通して排出可能であり、水抜き穴の直径Ｄよりも大きい径の異物Ｏｂは立設部２２により捕捉される（図４の（Ａ）を参照。）。この場合であっても、少なくとも、「水抜き穴２１の直径Ｄと同径で水抜き穴２１と同軸に且つ水抜き穴２１の上方に設けられた貫通孔」及び「異物Ｏｂにより閉塞されていないスリット」を通して水抜き穴２１へと水が排出される。よって、水がレゾネータ１０の内部から良好に排出される。
【００２６】
（４）立設部２２の高さＨは水抜き穴２１の直径Ｄよりも長いから、互いに隣接する立設部２２間に形成されるスリット部の流路面積を大きく設定することができる。よって、水の排出流量を大きくできる。また、「長軸が水抜き穴２１の直径Ｄよりも大きく、短軸が隣接する立設部間の間隔（最小幅Ｌ１）よりも小さい、細長状の異物」は、隣接する立設部２２の間を通過できた場合には、その異物は水抜き穴２１を閉塞しない方向を維持しながら排出され得る。よって、レゾネータ１０内に堆積する比較的大きな細長状異物も除去可能である。
【００２７】
（第２実施形態）
次に、本発明の第２実施形態に係る吸気系部品（以下、「第２部品」とも称呼する。）について説明する。この第２部品もレゾネータ１０と同様のレゾネータである。但し、第２部品は、水抜き穴部２０に代わる水抜き穴部３０を有している点のみにおいてレゾネータ１０と相違している。従って、以下、この相違点について説明する。
【００２８】
水抜き穴部３０は、図５の（Ａ）乃至（Ｃ）に示したように、水抜き穴３１と、複数の（本例において２個の）立設部３２と、を備えている。
水抜き穴３１は、水抜き穴２１と同様、底部１２ａに形成された中空円筒状の空間（貫通孔）である。従って、水抜き穴３１の平面視における形状は直径Ｄの円形である。
【００２９】
一対の立設部３２のそれぞれは、下本体部１２の内側において底部１２ａから立設してた柱状部である。一対の立設部３２は下本体部１２と一体的に形成（樹脂成形）されている。一対の立設部３２は互いに同一の形状を備えている。立設部３２の上面及び下面は立設部２２のそれらよりも中心角が大きい略扇形状を有している。
【００３０】
一対の立設部３２は互いに等しい間隔（最小幅Ｌ１、最大幅Ｌ２）をおいて水抜き穴３１を取り囲むように設けられている。各立設部３２の下面の半径ｒ１の円弧は、水抜き穴２１の周縁部と一致している。互いに隣接する立設部３２間の間隔（Ｌ１、Ｌ２）は水抜き穴の直径Ｄよりも短い。
【００３１】
即ち、２個の立設部３２によって、「水抜き穴３１の半径Ｄ／２よりも大きい半径ｒ２を有し且つ水抜き穴３１と同軸となるように底部１２ａの内側に設けられた円柱体であって、水抜き穴３１の直径Ｄと同径で水抜き穴３１と同軸に且つ水抜き穴３１の上方に設けられた貫通孔及び２箇所のスリット部を形成した部分」が構成されていると言うことができる。従って、各立設部３２の内側の湾曲した側面は、「水抜き穴３１と同径であり水抜き穴３１を底面として底部１２ａに直交する中心軸を有する円柱形の側壁」に沿った内側壁面、を構成していると言うこともできる。
【００３２】
この立設部３２を有するレゾネータも、レゾネータ１０と同様の利点を有することができる。
【００３３】
本発明は上記実施形態に限定されることはなく、本発明の範囲内において種々の変形例を採用することができる。例えば、本発明はレゾネータ以外の吸気部品（例えば、エアクリーナ及びヘッドガードピラー等）にも適用可能である。また、立設部２２は下本体部１２と別個に形成され、後に、下本体部１２の底部１２ａに例えば接着及び溶接等により固定されてもよい。
【００３４】
上記実施形態において、立設部２２は４個備えられ、立設部３２は２個備えられていたが、立設部の数は複数であれば特に限定されない。更に、立設部は水抜き穴の周縁部から立設しているので、スリット部の最小幅Ｌ１（従って、最大幅Ｌ２）は水抜き穴の直径Ｄよりも大きくてもよい。最大幅Ｌ２と最小幅Ｌ１は等しくてもよい。加えて、水抜き穴の平面視における形状は、円でなくてもよく、楕円、長円及び多角形等であってもよい。また、複数の立設部は互いに異なる形状を有していてもよい。
【符号の説明】
【００３５】
１０…レゾネータ、１１…上本体部、１２…下本体部、１２ａ…底部（底板）、１３…首部、２０…水抜き穴部、２１…水抜き穴、２２…立設部、３０…水抜き穴部、３１…水抜き穴、３２…立設部。
【図１】
2014118920.tif 000003
【図２】
2014118920.tif 000004
【図３】
2014118920.tif 000005
【図４】
2014118920.tif 000006
【図５】
2014118920.tif 000007
【図６】
2014118920.tif 000008